(57)【要約】【課題】配線用遮断器を主回路に接続したまま配線用遮断器の過電流遮断機能試験を実施することができる無停電試験装置を提供する。【解決手段】無停電試験装置１０は、配線用遮断器に直流試験電流を供給するかつ主回路から絶縁された低電圧大電流絶縁式電源１３と、低電圧大電流絶縁式電源１３の出力側に低電圧大電流絶縁式電源１３と並列に設けられた低インピーダンス素子を備えたかつ直流試験電流によって配線用遮断器の主回路接点が遮断されると低インピーダンス素子に直流試験電流が流れることによって低インピーダンス素子の両端に発生する電圧を検出する電圧検出部１５と、電圧検出部１５によって検出された電圧の電圧値が設定電圧値以上であると低電圧大電流絶縁式電源１３を配線用遮断器から電気的に切り離す切離し手段として機能する第１乃至第３の開閉器１４1a，１４1b，１４2，１４3および制御部１６とを具備する。【選択図】図１
2010049988.tif 000002
【特許請求の範囲】
【請求項１】
配線用遮断器を主回路に接続したまま該配線用遮断器の過電流遮断機能試験を実施するための無停電試験装置（１０；２０）であって、
前記配線用遮断器に試験電流を供給する、かつ、前記主回路から絶縁された試験電流供給手段（１３；２３）と、
該試験電流供給手段の出力側に該試験電流供給手段と並列に設けられた低インピーダンス素子を備えた、かつ、前記試験電流によって前記配線用遮断器の主回路接点（４P，４N）が遮断されると前記低インピーダンス素子に該試験電流が流れることによって該低インピーダンス素子の両端に発生する電圧を検出する電圧検出手段（１５；２５）と、
該電圧検出手段によって検出された電圧の電圧値が設定電圧値以上であると前記試験電流供給手段を前記配線用遮断器から電気的に切り離す切離し手段と、
を具備することを特徴とする、配線用遮断器の無停電試験装置。
【請求項２】
前記切離し手段が、
前記試験電流供給手段の入力側に設けられた第１の開閉器（１４1a，１４1b；２４1a，２４1b）と、
前記試験電流供給手段の出力側の該試験電流供給手段と前記電圧検出手段との間に設けられた第２の開閉器（１４2；２４2）と、
前記試験電流供給手段の出力側の前記電圧検出手段よりも該試験電流供給手段と反対側に設けられた第３の開閉器（１４3；２４3）と、
前記配線用遮断器に前記試験電流を供給する際には前記第１乃至第３の開閉器をすべて閉じるとともに、前記電圧検出手段によって検出された電圧の電圧値が前記設定電圧値以上であると前記第３の開閉器を開放したのちに前記第１の開閉器を開放する制御部（１６；２６）と、
を備えることを特徴とする、請求項１記載の配線用遮断器の無停電試験装置。
【請求項３】
前記試験電流が、電圧値が前記主回路に印加される電源電圧の電圧値よりも低くかつ電流値が前記配線用遮断器の定格電流値よりも大きい直流試験電流であり、
前記試験電流供給手段が、外部の試験装置電源から入力される交流電圧を前記直流試験電流に変換する低電圧大電流絶縁式電源（１３）である、
ことを特徴とする、請求項１または２記載の配線用遮断器の無停電試験装置。
【請求項４】
前記試験電流が、電圧値が前記主回路に印加される電源電圧の電圧値よりも低くかつ電流値が前記配線用遮断器の定格電流値よりも大きい交流試験電流であり、
前記試験電流供給手段が、外部の試験装置電源から入力される交流電圧を前記交流試験電流に変換する絶縁トランス（２３）である、
ことを特徴とする、請求項１または２記載の配線用遮断器の無停電試験装置。
【請求項５】
前記低インピーダンス素子のインピーダンス値が、前記配線用遮断器の前記主回路接点の接点インピーダンス値よりも大きいことを特徴とする、請求項１乃至４いずれかに記載の配線用遮断器の無停電試験装置。
【請求項６】
前記試験電流の電流値を任意に設定する試験電流設定手段と、
前記試験電流によって前記主回路接点が遮断されるまでの時間である前記配線用遮断器の動作時間を計測する動作時間計測手段と、
をさらに具備することを特徴とする、請求項１乃至５いずれかに記載の配線用遮断器の無停電試験装置。
【請求項７】
前記配線用遮断器の動作特性データが格納されたメモリと、
前記試験電流の電流値および前記動作時間計測手段によって計測された前記配線用遮断器の動作時間に基づいて該配線用遮断器の動作特性を求め、該求めた動作特性を前記動作特性データと比較して該配線用遮断器の開閉特性の良否を判定する開閉特性良否判定手段と、
をさらに具備することを特徴とする、請求項１乃至５いずれかに記載の配線用遮断器の無停電試験装置。
【発明の詳細な説明】
【技術分野】
【０００１】
本発明は、配線用遮断器の無停電試験装置に関し、特に、配線用遮断器を主回路に接続したまま配線用遮断器の過電流遮断機能試験を実施するのに好適な無停電試験装置に関する。
【背景技術】
【０００２】
配線用遮断器（モールド・ケース・サーキット・ブレーカ（ＭＣＣＢ：Molded Case Circuit Breaker）やノー・ヒューズ・ブレーカ（ＮＦＢ：No-Fuse Breaker）など）の過電流遮断機能試験は、配線用遮断器が備える過電流検出部に大電流を流さなければならないので、配線用遮断器を主回路（電路）から切り離して専用の試験装置に接続して実施している（調査した範囲でも、配線用遮断器を主回路から切り離し単体で過電流遮断機能試験を実施するための試験装置しかなく、配線用遮断器を主回路に接続した状態で過電流遮断機能試験を実施できる試験装置はなかった。）。
【０００３】
また、配線用遮断器の過電流遮断機能試験を実施するために配線用遮断器を取り外すときや元に戻すときに主回路全体を停電する必要があるので、過電流遮断機能試験は実施しないこともある。そのため、配線用遮断器の二次側回路（負荷装置や電線）で短絡事故が発生した場合に、配線用遮断器の動作特性変化（劣化）により主回路を遮断（開放）するのに時間を要し、保護されるべき負荷装置や電線が損傷を受けたり焼損したりして火災に進展する可能性が大きく、実際に配線用遮断器の不動作により電線が焼損した例もある。
【０００４】
なお、下記の特許文献１には、コンピュータ構成の試験本体装置に、入力部の試験条件および記憶部に保持された試験プログラムに基づいて試験対象の遮断器の試験制御を実行し、計測結果を処理して遮断器を診断する試験処理部と、この処理部の試験制御に従って遮断器の給電駆動および計測を実行し、計測結果を試験処理部に供給する遮断器制御計測部とを備えることにより、試験を自動化して作業性の向上等を図れるようにした、受電設備などで使用されている遮断器の電気的な試験を行う遮断器試験装置が開示されている。
【特許文献１】特開平７−１４０２１４号公報
【発明の開示】
【発明が解決しようとする課題】
【０００５】
上述したように配線用遮断器を主回路から切り離して単体で過電流遮断機能試験を実施するための試験装置しかない理由としては、主回路に接続された配線用遮断器の過電流検出部に試験電流を流すと配線用遮断器が試験電流で遮断した際に配電盤内の電気部品に試験電流が流れることによるトラブル発生や、配電盤内の電源（主回路が充電状態）から試験装置に電流が流れて試験装置が損傷または破壊されることが考えられる。
【０００６】
以下に、主回路が充電状態で配線用遮断器の過電流検出部に試験電流を流した際に発生するトラブルについて、主回路が直流回路である場合を例として説明する。なお、試験電流を供給する試験装置は主回路と電気的に絶縁されているとして説明する。
（１）試験装置が損傷するトラブル
図１０に、ＤＣ１１０Ｖの電源線１から分岐された正極側電線２Pおよび負極側電線２N（主回路）に設置された配線用遮断器３（正極側電線２Pおよび負極側電線２Nに正極側過電流検出部５Pおよび負極側過電流検出部５Nがそれぞれ取り付けられた２極直流式配線用遮断器）に試験線１１１を用いて試験装置１１０を接続し、試験装置１１０から配線用遮断器３に試験電流を通電開始した直後の状態を示す。なお、この例では、配線用遮断器３の正極側過電流検出部５Pに試験電流を流して過電流遮断機能試験を実施するために、正極側電線２Pの配線用遮断器３の一次側および二次側に試験線１１１を接続して試験装置１１０から配線用遮断器３の正極側過電流検出部５Pに試験電流を流すようにしている。
試験電流の通電開始時には配線用遮断器３の正極側接点４Pおよび負極側接点４N（主回路接点）は共に閉じているため、試験電流は図１０に破線の太矢印で示すように試験装置１１０→試験線１１１→配線用遮断器３の正極側接点４P→正極側過電流検出部５P→試験線１１１→試験装置１１０の順に流れる。これにより、正極側過電流検出部５Pが動作して、配線用遮断器３が正極側接点４Pおよび負極側接点４Nを遮断する遮断動作を開始する。なお、正極側接点４Pおよび負極側接点４Nは連動して遮断される。また、試験装置１１０に組み込まれている定電流電源は、５Ｖの開放電圧で設定電流値の試験電流が流れるように電圧が自動調整されるものであり、かつ、電圧調整範囲が０〜５Ｖのものである。
このようにして配線用遮断器３が遮断動作を開始するが、正極側接点４Pおよび負極側接点４Nに不揃いがあって図１１に示すように正極側接点４Pが先行して遮断すると正極側過電流検出部５Pに試験電流が流れなくなるため、試験装置１１０は定電流電源の最大出力電圧である開放電圧（５Ｖ）が出力された状態となる。また、試験装置１１０の定電流電源には電流が逆方向に流れ込まないように逆流防止回路（試験装置１１０に電流が流入しない回路）が設けられているため、電源に対して試験装置１１０が高インピーダンスとなって電流が流れなくなり、図１１に一点鎖線の太矢印で示すように電源電圧（１１０Ｖ）に近い値の電圧が配電盤内の電気部品６を通じて試験装置１１０に印加される、その結果、試験装置１１０の定格電圧（５Ｖ）の２０倍程度の電圧が印加されることとなるため、試験装置１１０の定電流電源が破壊される恐れがある。
また、正極側接点４Pおよび負極側接点４Nの不揃いは極短時間であるため、図１２に示すように配線用遮断器３の負極側接点４Nが直ぐに遮断されることにより、試験装置１１０に印加されていた電圧は直ぐに消滅するが、図１２に一点鎖線の太矢印で示すように試験装置１１０を通して配電盤内の電気部品６や負荷装置に対地電圧が誘起されるため、人が電気部品６や負荷装置に接触すると感電する恐れがある。
【０００７】
（２）配電盤側に影響を与えるトラブル
上記（１）のトラブルを防ぐために試験装置１１０の定電流電源として電圧調整範囲が広い（たとえば、０〜１００Ｖ）ものを使用することが考えられるが、以下に説明するように試験線１１１を逆に接続した場合に電気部品６や負荷装置に印加される電圧は２００Ｖとなり、電気部品６や負荷装置に電源電圧（１１０Ｖ）の約２倍の電圧（２００Ｖ）が印加されて電気部品６や負荷装置が損傷を受けてしまう。
すなわち、試験線１１１を図１０に示したように接続すれば、試験装置１１０の出力電圧以下の電圧が電気部品６や負荷装置に印加されるため、電気部品６や負荷装置は必要な耐電圧性能を有していることから問題は発生しない。
しかし、試験線１１１を逆に接続した場合には、図１３に示すように正極側接点４Pが先行して遮断すると、電源電圧に近い値の電圧（１００Ｖ）に試験装置１１０が開放されることにより、試験装置１１０は最大電圧（１００Ｖ）を出力する。その結果、図１３に一点鎖線の太矢印で示すように電源電圧に近い値の電圧（１００Ｖ）に試験装置１１０の出力電圧（１００Ｖ）が加算された２００Ｖの電圧が電気部品６や負荷装置に印加されるので、電気部品６や負荷装置が損傷してしまう。
なお，試験装置１１０の開放電圧が５Ｖであれば、試験線１１１を逆に接続しても、電気部品６や負荷装置に印加される電圧は１０５Ｖ（＝１００Ｖ+５Ｖ）と一般的な許容範囲（±１０％）以内の過電圧となるため、電気部品６や負荷装置が損傷を受けることはない。
【０００８】
本発明の目的は、配線用遮断器を主回路に接続したまま配線用遮断器の過電流遮断機能試験を実施することができる無停電試験装置を提供することにある。
【課題を解決するための手段】
【０００９】
本発明の配線用遮断器の無停電試験装置は、配線用遮断器を主回路に接続したまま該配線用遮断器の過電流遮断機能試験を実施するための無停電試験装置（１０；２０）であって、前記配線用遮断器に試験電流を供給する、かつ、前記主回路から絶縁された試験電流供給手段（１３；２３）と、該試験電流供給手段の出力側に該試験電流供給手段と並列に設けられた低インピーダンス素子を備えた、かつ、前記試験電流によって前記配線用遮断器の主回路接点（４P，４N）が遮断されると前記低インピーダンス素子に該試験電流が流れることによって該低インピーダンス素子の両端に発生する電圧を検出する電圧検出手段（１５；２５）と、該電圧検出手段によって検出された電圧の電圧値が設定電圧値以上であると前記試験電流供給手段を前記配線用遮断器から電気的に切り離す切離し手段とを具備することを特徴とする。
ここで、前記切離し手段が、前記試験電流供給手段の入力側に設けられた第１の開閉器（１４1a，１４1b；２４1a，２４1b）と、前記試験電流供給手段の出力側の該試験電流供給手段と前記電圧検出手段との間に設けられた第２の開閉器（１４2；２４2）と、前記試験電流供給手段の出力側の前記電圧検出手段よりも該試験電流供給手段と反対側に設けられた第３の開閉器（１４3；２４3）と、前記配線用遮断器に前記試験電流を供給する際には前記第１乃至第３の開閉器をすべて閉じるとともに、前記電圧検出手段によって検出された電圧の電圧値が前記設定電圧値以上であると前記第３の開閉器を開放したのちに前記第１の開閉器を開放する制御部（１６；２６）とを備えてもよい。
前記試験電流が、電圧値が前記主回路に印加される電源電圧の電圧値よりも低くかつ電流値が前記配線用遮断器の定格電流値よりも大きい直流試験電流であり、前記試験電流供給手段が、外部の試験装置電源から入力される交流電圧を前記直流試験電流に変換する低電圧大電流絶縁式電源（１３）であってもよい。
前記試験電流が、電圧値が前記主回路に印加される電源電圧の電圧値よりも低くかつ電流値が前記配線用遮断器の定格電流値よりも大きい交流試験電流であり、前記試験電流供給手段が、外部の試験装置電源から入力される交流電圧を前記交流試験電流に変換する絶縁トランス（２３）であってもよい。
前記低インピーダンス素子のインピーダンス値が、前記配線用遮断器の前記主回路接点の接点インピーダンス値よりも大きくてもよい。
前記試験電流の電流値を任意に設定する試験電流設定手段と、前記試験電流によって前記主回路接点が遮断されるまでの時間である前記配線用遮断器の動作時間を計測する動作時間計測手段とをさらに具備してもよい。
前記配線用遮断器の動作特性データが格納されたメモリと、前記試験電流の電流値および前記動作時間計測手段によって計測された前記配線用遮断器の動作時間に基づいて該配線用遮断器の動作特性を求め、該求めた動作特性を前記動作特性データと比較して該配線用遮断器の開閉特性の良否を判定する開閉特性良否判定手段とをさらに具備してもよい。
【発明の効果】
【００１０】
本発明の配線用遮断器の無停電試験装置は、以下の効果を奏する。
（１）低インピーダンス素子を試験電流供給手段と並列に設けることにより、試験電流によって配線用遮断器の主回路接点の一方が先行して遮断されても低インピーダンス素子に主回路を流れる電流および試験電流を流すことができるので、配線用遮断器を主回路に接続したまま配線用遮断器の過電流遮断機能試験を実施することができる。
（２）電圧検出手段によって検出された電圧の電圧値が設定電圧値以上であると試験電流供給手段を配線用遮断器から電気的に切り離すことにより、配線用遮断器の主回路接点の一方が先行して遮断したのちに主回路接点の他方が遮断すると配線用遮断器の負荷側を完全に停電状態とすることができるので、人が負荷装置などに接触しても感電しないようにすることができる。
（３）試験電流の電流値を任意に設定する試験電流設定手段と配線用遮断器の動作時間を計測する動作時間計測手段とを備えることにより、試験する配線用遮断器が正常な機能を維持しているか不調となりつつあるかなどの判定をすることができる。
（４）開閉特性良否判定手段が試験電流の電流値および配線用遮断器の動作時間に基づいて配線用遮断器の動作特性を求め、求めた動作特性を配線用遮断器の動作特性データと比較することにより、配線用遮断器の開閉特性の良否を判定することができる。
【発明を実施するための最良の形態】
【００１１】
上記の目的を、低インピーダンス素子を備えた電圧検出手段を試験電流供給手段と並列に設け、試験電流によって配線用遮断器の主回路接点が遮断されると低インピーダンス素子に試験電流が流れることによって低インピーダンス素子の両端に発生する電圧を電圧検出手段によって検出し、検出された電圧が設定電圧値以上であると試験電流供給手段を配線用遮断器から電気的に切り離すことにより実現した。
【実施例１】
【００１２】
以下、本発明の配線用遮断器の無停電試験装置の実施例について図面を参照して説明する。
まず、本発明の第１の実施例による配線用遮断器の無停電試験装置１０について、図１乃至図８を参照して説明する。
本実施例による無停電試験装置１０は、主回路が直流回路である場合に使用されるものであり、図１に示すように第１および第２の交流電圧入力端子１１1，１１2と試験電流正極側出力端子１２Pと試験電流負極側出力端子１２Nと低電圧大電流絶縁式電源１３と１対の第１の開閉器１４1a，１４1bと第２の開閉器１４2と第３の開閉器１４3と電圧検出部１５と制御部１６とを具備する。
【００１３】
ここで、第１の交流電圧入力端子１１1と第２の交流電圧入力端子１１2との間には、不図示の試験装置電源（交流電源）から交流電圧（１１０Ｖ）が入力される。
【００１４】
試験電流正極側出力端子１２Pおよび試験電流負極側出力端子１２Nには、先端にクリップが取り付けられた２本の試験線１１１の末端がそれぞれ接続される。
【００１５】
低電圧大電流絶縁式電源１３は、主回路から絶縁された試験電流供給手段として機能するものであり、外部の試験装置電源から入力される交流電圧を低電圧かつ大電流の直流試験電流（すなわち、電圧値が主回路に印加される電源電圧の電圧値よりも低くかつ電流値が配線用遮断器の定格電流値よりも大きい直流試験電流）に変換する。
【００１６】
１対の第１の開閉器１４1a，１４1bは低電圧大電流絶縁式電源１３の入力側に設けられている。すなわち、第１の開閉器１４1aは第１の交流電圧入力端子１１1と低電圧大電流絶縁式電源１３との間に設けられており、第１の開閉器１４1bは第２の交流電圧入力端子１１2と低電圧大電流絶縁式電源１３との間に設けられている。
第２および第３の開閉器１４2，１４3は、低電圧大電流絶縁式電源１３と試験電流正極側出力端子１２Pとの間（すなわち、低電圧大電流絶縁式電源１３の出力側）にこの順番で直列に設けられている。ただし、第２の開閉器１４2は低電圧大電流絶縁式電源１３と電圧検出部１５との間に設けられており、第３の開閉器１４3は電圧検出部１５よりも低電圧大電流絶縁式電源１３と反対側に設けられている。
【００１７】
電圧検出部１５は、低電圧大電流絶縁式電源１３の出力側に低電圧大電流絶縁式電源１３と並列に設けられた低インピーダンス素子を備える。すなわち、電圧検出部１５は、一端が第２の開閉器１４2と第３の開閉器１４３とを結ぶ接続線に接続されるとともに他端が低電圧大電流絶縁式電源１３と試験電流負極側出力端子１２Nとを結ぶ接続線に接続された低インピーダンス素子を備える。低インピーダンス素子のインピーダンス値は、配線用遮断器３の主回路接点の接点インピーダンス値（たとえば、５Ａ定格で５０ｍΩ程度、５０Ａ定格で２ｍΩ程度、１００Ａ定格で１ｍΩ以下。インピーダンス値の７〜８割が抵抗分）よりも大きく（好ましくは、２０倍程度）されている。
電圧検出部１５は、低インピーダンス素子の両端の電圧を検出し、検出した電圧を制御部１６に出力する。
【００１８】
制御部１６は第１乃至第３の開閉器１４1a，１４1b，１４2，１４3の開閉制御を行う。たとえば、制御部１６は、配線用遮断器に直流試験電流を供給する際には第１乃至第３の開閉器１４1a，１４1b，１４2，１４3のすべてを閉じる。また、制御部１６は、電圧検出部１５によって検出された電圧の電圧値が設定電圧値以上であると第３の開閉器１４３を開放したのちに第１の開閉器１４1a，１４1bを開放する（すなわち、制御部１６は、第１乃至第３の開閉器１４1a，１４1b，１４2，１４3と共に、電圧検出部１５によって検出された電圧の電圧値が設定電圧値以上であると低電圧大電流絶縁式電源１３を配線用遮断器から電気的に切り離す切離し手段として機能する。）。
なお、設定電圧値は、配線用遮断器の主回路接点が遮断したことを確実に検出できる電圧値（たとえば、３Ｖ）に設定される。
【００１９】
次に、図１０に示した配線用遮断器３の過電流遮断機能試験を以下に示す条件で実施する際の無停電試験装置１０の動作について、図２乃至図８を参照して説明する。
（ａ）配線用遮断器３の定格電流値＝５Ａ
（ｂ）直流試験電流の電流値＝１０Ａ
（ｃ）配線用遮断器３の主回路接点の接点インピーダンス値＝５０ｍΩ
（ｄ）電圧検出部１５の低インピーダンス素子のインピーダンス値＝１Ω
（ｅ）低電圧大電流絶縁式電源１３の定格電圧および定格電流＝０〜５Ｖ，１００Ａ
（ｆ）制御部１６における設定電圧値＝３Ｖ
【００２０】
（１）無停電試験装置１０の接続
作業員は過電流遮断機能試験のために配線用遮断器３を遮断してもよい状態にする。具体的には、停止できる負荷装置は可能な範囲で停止して負荷電流を最小の状態とする。
その後、作業員は、配線用遮断器３の正極側電線２Pの配線用遮断器３の一次側および二次側を２本の試験線１１１の先端のクリップでそれぞれ挟むことにより、２本の試験線１１１を正極側電線２Pに接続する。
その後、作業員は無停電試験装置１０を起動させる。このとき、図２に示すように無停電試験装置１０の第１乃至第３の開閉器１４1a，１４1b，１４2，１４3はすべて開放されている。
【００２１】
（２）過電圧遮断機能試験前の操作
図３に示すように無停電試験装置１０の制御部１６によって第１の開閉器１４1a，１４1bが閉じられて（投入されて）、低電圧大電流絶縁式電源１３が充電される。この状態では、第２および第３の開閉器１４2，１４3は共に開放状態であり、電圧検出部１５の低インピーダンス素子の両端には電圧が印加されていないため、制御部１６は「配線用遮断器３の正極側接点４Pが遮断した」と判定しない。
続いて、図３に示すように無停電試験装置１０の制御部１６によって第３の開閉器１４3が閉じられる。このときに電圧検出部１５の低インピーダンス素子に流れる電流の電流値は負荷電流の電流値の５０／（１０００＋５０）倍≒０．０５倍（約５％）であり、配線用遮断器３の定格電流値（５Ａ）の電流が流れたとしても、電圧検出部１５の低インピーダンス素子に流れる電流は約０．２５Ａ（＝５Ａ×０．０５）と小さく、この低インピーダンス素子の両端に発生する電圧も０．２５Ｖ（-＝０．２５Ａ×１Ω）と設定電圧値（３Ｖ）未満となるため、制御部１６は「配線用遮断器３の正極側接点４Pが遮断した」と判定しない。
【００２２】
（３）過電圧遮断機能試験の開始直後
図４に示すように無停電試験装置１０の制御部１６によって第２の開閉器１４2が閉じられて、配線用遮断器３の正極側過電流検出部５Pに直流試験電流が流される。
試験回路の抵抗値は配線用遮断器３の主回路接点の接点インピーダンス値（５０ｍΩ）と無停電試験装置１０の電圧検出部１５の低インピーダンス素子のインピーダンス値（１Ω）との並列抵抗値（０．０４７６Ω）となるため、低電圧大電流絶縁式電源１３は試験回路に１０Ａの直流試験電流を流そうと０．４７６Ｖまで出力電圧を上げたのち、１０Ａの直流試験電流が流れた時点で安定する。
その結果、電圧検出部１５の低インピーダンス素子の両端に発生する電圧の電圧値は０．４７６Ｖと設定電圧値（３Ｖ）未満となるため、制御部１６は「配線用遮断器３の正極側接点４Pが遮断した」と判定しない。
また、図４に破線の太矢印で示すように直流試験電流は配線用遮断器３と電圧検出部１５とに分流するが、配線用遮断器３の正極側過電流検出部５Pには１０Ａの直流試験電流の１０００／（１０００＋５０）倍である約９．５Ａの電流が流れるため、配線用遮断器３の正極側過電流検出部５Pが動作して、配線用遮断器３は正極側接点４Pおよび負極側接点４Nを共に遮断する遮断動作を開始する。
なお，正極側過電流検出部５Pに正確に１０Ａの直流試験電流を流したい場合には、配線用遮断器３の主回路接点の接点インピーダンス値（５０ｍΩ）を考慮した電流設定を行えばよい。ただし、定格電流値が１０Ａ以上の配線用遮断器３については、接点インピーダンス値が一般的に１５ｍΩ以下であるため、このような電流設定はしなくてもよい（定格電流値が１０Ａ以上の配線用遮断器３であれば、誤差は約１％以下となる。）。
【００２３】
（４）配線用遮断器３の不揃遮断時
配線用遮断器３の正極側接点４Pおよび負極側接点４Nに不揃いがあって図５に示すように正極側接点４Pが先行して遮断すると、直流試験電流は配線用遮断器３の正極側接点４Pには流れずに電圧検出部１５の低インピーダンス素子のみに流れるため、低電圧大電流絶縁式電源１３は１０Ａの直流試験電流を流そうと出力電圧を１０Ｖまで上昇させようとする。しかし、出力電圧は５Ｖが最大であるため、低電圧大電流絶縁式電源１３は５Ｖの出力電圧で５Ａの直流試験電流を供給することとなる。
その結果、電圧検出部１５の低インピーダンス素子の両端に発生する電圧の電圧値は５Ｖと設定電圧値（３Ｖ）以上となるため、制御部１６は、「配線用遮断器３の正極側接点４Pが遮断した」と判定して、第３の開閉器１４３を開放したのちに第１の開閉器１４1a，１４1bを開放する。
このように配線用遮断器３の負極側接点４Nが遮断していない時点で制御部１６は第３の開閉器１４３を開放したのちに第１の開閉器１４1a，１４1bを開放するが、配線用遮断器３の機械的なラッチが外れており、また、時間を置くことなく負極側接点４Nが遮断されるため、特に問題は生じることはない。
また、配電盤に停止できない電気部品６があったとしても、電気部品６のインピーダンス値に比較して電圧検出部１５の低インピーダンス素子（１Ω）のインピーダンス値は極めて小さいため、図５に破線の太矢印で示すように電源線１からの電流および低電圧大電流絶縁式電源１３からの直流試験電流はこの低インピーダンス素子を通して流れるので、電気部品６の誤動作などの不具合が生じることはない。
【００２４】
（５）配線用遮断器３の遮断時
図６に示すように配線用遮断器３の正極側接点４Pおよび負極側接点４Nの不揃い時間は極短時間であるために負極側接点４Nは直ぐに遮断されるとともに第３の開閉器１４３が制御部１６によって開放されるために配電盤の電源側（充電している部分）から試験回路が切り離されるので、配線用遮断器３の負荷側が停電する。これにより、人が電気回路６や負荷装置に触れても感電する恐れがなくなる。
第３の開閉器１４３が開放されても図６に破線の太矢印で示すように低電圧大電流絶縁式電源１３からの直流試験電流は電圧検出部１５の低インピーダンス素子を通して流れるが、その後に図７に示すように第１の開閉器１４1a，１４1bが制御部１６によって開放されるため、低電圧大電流絶縁式電源１３が不動作となり、試験電流は流れなくなる。
（６）配線用遮断器３の遮断後
その後、図７に示すように第２の開閉器１４2が制御部１６によって開放されることにより、無停電試験装置１０は過電圧遮断機能試験前の状態となる（図２参照）。
このように、第３の開閉器１４３は大電流の直流試験電流を遮断することがなく、また、第１の開閉器１４1a，１４1bも小電流を遮断するため、第１乃至第３の開閉器１４1a，１４1b，１４2，１４3として容量の大きな開閉器を使用する必要はない。
【００２５】
（７）負極側接点４N（残り回路）の過電圧遮断機能試験
以上のようにして配線用遮断器３の正極側過電流検出部５Pに直流試験電流を流した過電流遮断機能試験が終了すると、配線用遮断器３の負極側過電流検出部５Nに直流試験電流を流して過電流遮断機能試験を実施するために、作業員は、図８に示すように無停電試験装置１０の第１乃至第３の開閉器１４1a，１４1b，１４2，１４3がすべて開放された状態で配線用遮断器３の負極側電線２Nの配線用遮断器３の一次側および二次側を２本の試験線１１１の先端のクリップでそれぞれ挟むことにより、２本の試験線１１１を負極側電線２Nに接続する。
その後、作業員が無停電試験装置１０を起動させることにより、上記（２）から（５）で説明した手順で過電流遮断機能試験が実施される。
【実施例２】
【００２６】
次に、本発明の第２の実施例による無停電試験装置２０について、図９を参照して説明する。
本実施例による無停電試験装置２０は、主回路が交流回路である場合に使用されるものであり、図２に示すように低電圧大電流絶縁式電源１３の代わりに絶縁トランス２３を具備する点で、図１に示した第１の実施例による無停電試験装置１０と異なる。
【００２７】
ここで、絶縁トランス２３は、主回路から絶縁された試験電流供給手段として機能するものであり、外部の試験装置電源から１次側に入力される交流電圧（１１０Ｖ）を低電圧かつ大電流の交流試験電流（すなわち、電圧値が主回路に印加される電源電圧の電圧値よりも低くかつ電流値が配線用遮断器の定格電流値よりも大きい交流試験電流）に変換して２次側から出力するものである。交流試験電流は、第１および第２の試験電流出力端子２２1，２２2から配線用遮断器に出力される。
【００２８】
なお、絶縁トランス２３は低電圧大電流絶縁式電源１３のように電流一定制御機能を有しないが、被試験回路は電圧検出部２５の低インピーダンス素子およびインピーダンス値が極めて小さい交流式配線用遮断器などの主回路接点の接点インピーダンスであるため、第１の実施例による無停電試験装置１０と同様の動作を実現できる。
【００２９】
このように、定電流電源装置（低電圧大電流絶縁式電源１３）で直流試験電流を供給する直流式配線用遮断器用の無停電試験装置１０と異なり、無停電試験装置２０は絶縁トランス２３で交流試験電流を供給する構成となるが、無停電試験装置１０に低電圧大電流絶縁式電源１３から出力される直流試験電流の波形を断続波とする手段を設けることにより、無停電試験装置１０を用いて交流式配線用遮断器などの過電流遮断機能試験を実施することもできる。また、交流式配線用遮断器などの過電流検出方式がバイメタルなどの熱によるものであれば、図１に示した無停電試験装置１０をそのまま用いて交流式配線用遮断器などの過電流遮断機能試験を実施することができる場合もある。
【００３０】
三相式配線用遮断器の場合には、その構造によっては相ごとに過電流遮断機能試験を実施する必要がある。
【００３１】
以上では、本発明の配電線用遮断器の無停電試験装置を電気事業に利用する場合について説明したが、配線用遮断器は一般産業界、一般家庭および船舶などあらゆる箇所に使用されているため、本発明の配電線用遮断器の無停電試験装置の利用範囲は電気事業のみに限定されない。また、本発明の配電線用遮断器の無停電試験装置を実用化することにより、配線用遮断器の誤不動作よる設備損傷や火災の防止に大きく寄与するものと考えられる。
（２）無停電試験装置の規模
大容量の配線用遮断器を対象とした無停電試験装置は大掛かりなものとなるが、一般的に使用されている５０Ａクラスを対象としたものであれば比較的小規模で低価格のものが実現できると考えられる。
また，配線用遮断器の特性確認機能を備えた無停電試験装置とする場合には、ある程度の精度や動作時間測定機能が必要となるため、少し高額な装置となることが考えられる。しかし、配線用遮断器の動作確認機能のみを備えた装置であれば、簡単な構成で安価な装置とできる（配線用遮断器不動作時に焼損や火災に進展することから、一般的には配線用遮断器の動作確認機能を備えていればニーズを十分満足するものと考える。）。
（３）配線用遮断器の開閉特性の把握
配線用遮断器は、定格電流（動作電流）に対して通電する電流の電流値の倍数により動作する時間の基準がある。このため、たとえば図１に示した制御部１６または図９に示した制御部２６に試験電流の電流値を任意に設定する試験電流設定機能（試験電流設定手段）と配線用遮断器の動作時間（試験電流によって配線用遮断器の主回路接点が遮断されるまでの時間）を計測する動作時間計測機能（動作時間計測手段）とを備えることにより、試験する配線用遮断器が正常な機能を維持しているか不調となりつつあるかなどの判定をすることができる。
また，配線用遮断器の動作特性データが格納されたメモリと、試験電流の電流値および動作時間計測手段によって計測された配線用遮断器の動作時間に基づいて配線用遮断器の動作特性を求め、求めた動作特性を動作特性データと比較して配線用遮断器の開閉特性の良否を判定する開閉特性良否判定手段とを無停電試験装置１０，２０に設けておけば、無停電試験装置１０，２０に配線用遮断器の開閉特性の良否を自動で判定させることもできる。
（４）適用可能回路
配線用遮断器には直流式、交流式、単相式、単相三線式および三相式などがあるが、過電流検出部ごとに試験電流を流すことができるため、特殊な配線用遮断器を除いて一般用の配線用遮断器（一般用の配線用遮断器の過電流遮断方法はバイメタルなどの金属に流れる電流による熱で金属が歪曲する力を利用したりコイル状の電路に電流が流れることで発生する電磁力を利用したりして遮断するものが殆どであり、主回路に印加されている回路電圧を利用していないため、一般用の配線用遮断器は過電流検出部に流れる電流のみで動作する。）すべてについて過電流遮断機能試験を実施することができる。
【図面の簡単な説明】
【００３２】
【図１】本発明の第１の実施例による無停電試験装置１０の構成を示すブロック図である。
【図２】図１に示した無停電試験装置１０の動作について説明するための図であり、無停電試験装置１０の接続について説明するための図である。
【図３】図１に示した無停電試験装置１０の動作について説明するための図であり、過電圧遮断機能試験前の操作について説明するための図である。
【図４】図１に示した無停電試験装置１０の動作について説明するための図であり、過電圧遮断機能試験の開始直後の動作について説明するための図である。
【図５】図１に示した無停電試験装置１０の動作について説明するための図であり、配線用遮断器３の不揃遮断時の動作について説明するための図である。
【図６】図１に示した無停電試験装置１０の動作について説明するための図であり、配線用遮断器３の遮断時の動作について説明するための図である。
【図７】図１に示した無停電試験装置１０の動作について説明するための図であり、配線用遮断器３の遮断後の動作について説明するための図である。
【図８】図１に示した無停電試験装置１０の動作について説明するための図であり、負極側接点４N（残り回路）の過電圧遮断機能試験時の動作について説明するための図である。
【図９】本発明の第２の実施例による無停電試験装置２０の構成を示すブロック図である。
【図１０】主回路が充電状態で配線用遮断器の過電流検出部に試験電流を通電した際に発生するトラブルについて説明するための図であり、試験電流の通電開始直後の状態を示す図である。
【図１１】主回路が充電状態で配線用遮断器の過電流検出部に試験電流を通電した際に発生するトラブルについて説明するための図であり、正極側接点４Pが先行遮断したときの状態を示す図である。
【図１２】電路が充電状態で配線用遮断器の過電流検出部に試験電流を通電した際に発生するトラブルについて説明するための図であり、正極側接点４Pおよび負極側接点４Nが共に遮断したときの状態を示す図である。
【図１３】主回路が充電状態で配線用遮断器の過電流検出部に試験電流を通電した際に発生するトラブルについて説明するための図であり、試験装置１１０の試験線１１１を逆に接続した場合に正極側接点４Pが先行遮断したときの状態を示す図である。
【符号の説明】
【００３３】
１  電源線
２P，２N  正極側および負極側電線
３  配線用遮断器
４P，４N  正極側および負極側接点
５P，５N  正極側および負極側過電流検出部
６  電気部品
１０，２０  無停電試験装置
１１1，１１2，２１1，２１2  第１および第２の交流電圧入力端子
１２P  試験電流正極側出力端子
１２N  試験電流負極側出力端子
１３  低電圧大電流絶縁式電源
１４1a，１４1b，１４2，１４3，２４1a，２４1b，２４2，２４3  第１乃至第３の開閉器
１５，２５  電圧検出部
１６，２６  制御部
２２1，２２2  第１および第２の試験電流出力端子
２３  絶縁トランス
１１０  試験装置
１１１  試験線
【図１】
2010049988.tif 000003
【図２】
2010049988.tif 000004
【図３】
2010049988.tif 000005
【図４】
2010049988.tif 000006
【図５】
2010049988.tif 000007
【図６】
2010049988.tif 000008
【図７】
2010049988.tif 000009
【図８】
2010049988.tif 000010
【図９】
2010049988.tif 000011
【図１０】
2010049988.tif 000012
【図１１】
2010049988.tif 000013
【図１２】
2010049988.tif 000014
【図１３】
2010049988.tif 000015